(57)【要約】【課題】煩わしい手間を必要とせずに簡便に張設ができ、風雨等により変形しない強度を有し、ネットの目ズレ、モノフィラメントの切断が生じにくく、害虫の進入を防ぐことが可能な植物用カバーを提供すること。【解決手段】繊度８０〜３０００デシテックスの複合モノフィラメントが編織され、その交点が熱融着されているネットに支持棒用の管状ホルダーが形成されている植物用カバーであって、ネットは０．６〜２ｍｍの目合いを有し、管状ホルダーは、ネットの長手方向に対して間隔をあけ、かつ管状ホルダーの長さ方向がネットの幅方向となるように設置されていることを特徴とする植物用カバーによる。【選択図】図１
2004298099.tif 000002
【特許請求の範囲】
【請求項１】
繊度８０〜３０００デシテックスの複合モノフィラメントが編織され、その交点が熱融着されているネットに支持棒用の管状ホルダーが形成されている植物用カバーであって、ネットは０．６〜２ｍｍの目合いを有し、管状ホルダーは、ネットの長手方向に対して間隔をあけ、かつ管状ホルダーの長さ方向がネットの幅方向となるように設置されていることを特徴とする植物用カバー。
【請求項２】
複合モノフィラメントが、融点の異なる少なくとも２種の熱可塑性樹脂からなることを特徴とする請求項１記載の植物用カバー。
【請求項３】
管状ホルダーに支持棒が挿入されていることを特徴とする請求項１または請求項２記載の植物用カバー。
【請求項４】
支持棒が、弾性を有し湾曲可能であることを特徴とする請求項３記載の植物用カバー。
【請求項５】
支持棒が、植物用カバーの端辺から外方にその両端が突出していることを特徴とする請求項３または請求項４記載の植物用カバー。
【発明の詳細な説明】
【０００１】
【発明の属する技術分野】
本発明は害虫や過酷な温度変化等から植物を防御する植物用カバーに関する。
【０００２】
【従来の技術】
従来から、害虫や過酷な温度変化等から植物を防御するために、寒冷紗等の植物用カバーが用いられてきた。通常、これら植物用カバーは、寒冷紗を複数本の細い樹脂製支持棒で、アーチ状に植物を覆うように組み立てられている。
【０００３】
しかしながら、前述のような植物用カバーを張設するには、まず支持棒で骨組みを作り、さらにカバー部分を骨組みに固定させなければならず、作業に手間がかかっていた。
【０００４】
また、植物用カバーが、強風、積雪または風雨によって破壊されないようにするために、支持棒同士や、カバー部分と支持棒とを、複数箇所で強固に固定する必要があり、非常に手間がかかっていた。また、害虫が侵入する隙間を作らないようにするために、カバー部分同士の境目やカバー部分と地面との境目に隙間を生じないように丁寧に張る必要があり、設置に時間を費やさなければならなかった。
【０００５】
これらの問題を解決するために、さらに検討が行われている。モノフィラメントを用いて、縦横に織り、一面に所定大の虫進入防止目が形成されている防虫ネットが開示されている（例えば、特許文献１参照）。この防虫ネットには、これをアーチ型に張るための可撓性を有する支柱を挿通する挿通部が、防虫ネットの内側面に浮き織りで形成されていることから、支柱を挿通部に挿通し、防虫ネットと支柱とを一体化した後、支柱の両端部を地中に差し込むことで短時間に防虫ネットの張設ができる。しかし、挿通部を浮き織りで形成することで、その製造は容易であるものの、支持棒を挿通するときに、支持棒によってフィラメントを切断する危険性が高く、また、モノフィラメント同士が接合されていないため、支持棒を挿通する作業等で目ズレが生じることがあり、害虫の進入を許してしまう恐れがあった。
【０００６】
【特許文献１】
特開２００２−２７９００公報
【０００７】
【発明が解決しようとする課題】
そこで、本発明の課題は、煩わしい手間を必要とせずに簡便に張設することができ、風雨等により変形しない強度があり、ネットの目ズレ、モノフィラメントの切断が生じにくく、害虫の進入を防ぐことが可能な植物用カバーを提供することにある。
【０００８】
【課題を解決するための手段】
発明者は、前記課題を解決するために、鋭意検討を行った。その結果、下記構成の植物用カバーによって、前記課題が解決されることを見出し、この知見に基づいて本発明を完成するに至った。
【０００９】
本発明の構成は以下の通りである。
（１）繊度８０〜３０００デシテックスの複合モノフィラメントが編織され、その交点が熱融着されているネットに支持棒用の管状ホルダーが形成されている植物用カバーであって、ネットは０．６〜２ｍｍの目合いを有し、管状ホルダーは、ネットの長手方向に対して間隔をあけ、かつ管状ホルダーの長さ方向がネットの幅方向となるように設置されていることを特徴とする植物用カバー。
（２）複合モノフィラメントが、融点の異なる少なくとも２種の熱可塑性樹脂からなることを特徴とする前記（１）項記載の植物用カバー。
（３）管状ホルダーに支持棒が挿入されていることを特徴とする前記（１）項または前記（２）項記載の植物用カバー。
（４）支持棒が、弾性を有し湾曲可能であることを特徴とする前記（３）項記載の植物用カバー。
（５）支持棒が、植物用カバーの端辺から外方にその両端が突出していることを特徴とする前記（３）項または前記（４）項記載の植物用カバー。
【００１０】
【発明の実施の形態】
以下、本発明を詳細に説明する。
本発明の植物用カバーは、害虫や急激な温度変化等から植物を守るために植物を覆うカバーである。その構成は、繊度８０〜３０００デシテックスの複合モノフィラメントが編織され、その交点が熱融着されているネットに支持棒用の管状ホルダーが形成されている。前記ネットは０．６〜２ｍｍの目合いを有し、管状ホルダーは、ネットの長手方向に対して間隔をあけ、かつ管状ホルダーの長さ方向がネットの幅方向となるように設置され、ネットと一体化されている。このネットが、植物を覆うカバー部であり、管状ホルダーは、挿入された支持棒を保持する部分である。管状ホルダーは、ネットの幅方向に連続して設置されていてもよいし、不連続して複数本設置されていてもよい。また、管状ホルダーとネットとの設置の角度は、ネットの幅方向に対して１０°程度のブレがあっても構わない。なお、ネットの長手方向は、植物用カバーを設置した場合には、その長手方向になる。
【００１１】
管状ホルダーは、ネット等の布帛を管状にし、それを縫合、接着することで製造できる。管状ホルダーが円筒形の場合には、その口径は支持棒が挿入できる大きさであれば特に制限はないが、市販の支持棒の直径が５〜２０ｍｍであることから、１０〜２５ｍｍ程度であればよい。
【００１２】
本発明では、柔軟性を有し曲折させた場合にその形状を保持可能である支持棒や、弾性を有し湾曲可能である支持棒が好ましく利用できる。このような支持棒を植物カバーに用いることで、管状ホルダーに支持棒を挿通した状態で前記カバー部と共に、巻くことや畳むことができ、また、植物を簡便な作業で覆うことが可能で、使用しない際は、コンパクトに植物用カバーを収納することが可能になる。なお、支持棒の湾曲は、アーチ状の曲折が好ましい。具体的には、樹脂によって被覆された鋼線からなる支持棒が利用できる。また、予め湾曲している支持棒を用いてもよい。湾曲が固定されていることで、より安定した形状で植物用カバーを固定することができる。また、支持棒の長さは、支持棒の両端が土に差し込む程度に前記カバー部の端辺から外方に突出していることが好ましい。この程度の長さがあれば、支持棒の両先端を植物の植えられている植栽面に向かって挿し込みむことが可能になり、植物用カバーを固定することができる。具体的には、市販の農業用支持棒が利用でき、その素材としては、強化プラスチック、塩ビ、ポリオレフィン樹脂等が利用できる。断面形状としては、扁平、楕円、円形等が利用でき、円形の場合には、通常、５〜２０ｍｍの範囲の直径を適宜選択して利用できる。
【００１３】
カバー部の端辺から任意の幅にわたって、前記支持棒が前記カバー部に固定されない部分（垂れ部分）を有することが好ましい。このことにより、カバー部と植栽面との隙間を塞ぐことが可能になる。また、植栽面に向かって前記支持棒の両先端を挿し込み、固定して前記カバー部で植物を覆う際に、前記垂れ部分を前記植栽面に沿わせることで、確実にカバー部と植栽面との隙間を塞ぐことが可能になる。なお、垂れ部分に土砂等を盛ることで、カバー部と植栽面との固定ができる。
【００１４】
植物用カバーの形状を安定化させるために、カバー部に部分的に厚みを持たせたカバー補強部を設けることが好ましい。補強部を設けることで、カバー部の形状が変形しにくく、さらに安定して形状を維持することができる。この補強部は、前記カバー部の端辺や、略中央で長手方向にわたって設けるとよい。
【００１５】
本発明の植物用カバーにおいて、ネットの目合いは、０．６〜２ｍｍ、より好ましくは０．６〜１ｍｍ、特に好ましくは０．８〜１ｍｍである。この範囲であれば、通気性が良好となり、植物用カバー内で栽培する植物に蒸れの被害が発生することがなく、害虫等の進入を防止することができる。
【００１６】
本発明に用いられるネットは、複合モノフィラメントを編織し、熱処理して、その交点を熱接着することで得られる。ネットは、編物、織物のどちらでも利用できる。ネットの交点を充分に熱接着させ、ネットに充分な強度を与えるためには、融点の異なる少なくとも２種類の熱可塑性樹脂から複合モノフィラメントが構成され、さらに複合モノフィラメントを構成する熱可塑性樹脂のなかでも低融点の熱可塑性樹脂が、モノフィラメント表面の少なくとも一部に連続して形成している必要があり、複合モノフィラメントの複合構造としては、鞘芯型、偏心鞘芯型、並列型、海島型等が例示できる。具体的には、鞘芯型の複合構造であれば、鞘成分に低融点の熱可塑性樹脂を配し、芯成分に他の熱可塑性樹脂を配すればよい。複合構造のなかでも、鞘芯型の複合構造が、均一な熱接着性を示すことから好ましい。なお、複合モノフィラメントに用いられる熱可塑性樹脂の融点差は、１０℃以上が好ましく、２０℃以上であることがより好ましい。
【００１７】
ネットの交点を加熱し熱接着させるためには、熱風型加熱機、赤外線加熱機、遠赤外線加熱機、高圧蒸気加熱機、超音波型加熱機、熱圧着加熱機等の加熱装置を利用すればよく、これらは単独で使用するだけでなく、併用してもよい。なかでも、熱風型加熱機と熱圧着加熱機とを併用すると、交点の接着が良好なネットを得ることができるために好ましい。
【００１８】
ネットを構成する複合モノフィラメントの繊度は、８０〜３０００デシテックス、好ましくは３００〜２８００デシテックスである。繊度がこの範囲であれば、ネットにかかる圧力によって目合いが広がる恐れがなく、また、ネットの強度と剛性が適切な範囲になるため、展張等の作業性が良好になる。
【００１９】
ネットを構成する複合モノフィラメントの原料熱可塑性樹脂は、目的に適した熱可塑性樹脂を適宜選択するとよい。具体的には、直鎖状低密度ポリエチレン、低密度ポリエチレン、高密度ポリエチレン等のポリエチレン、プロピレン単独重合体（ここでは、エチレンを１重量％未満含むプロピレン重合体もプロピレン単独重合体に含める）、プロピレンを主成分とするプロピレンと他のα−オレフィン（ここでは、α−オレフィンとしてエチレンを含める）との二元または三元共重合体等のポリプロピレン、ポリビニルアルコール、ポリエステル、ポリアミド等の熱可塑性樹脂が例示できる。なお、主成分とは、その熱可塑性樹脂の全重量中で最も多い成分をいう。
【００２０】
複合モノフィラメントを構成する熱可塑性樹脂の組合せを、低融点の熱可塑性樹脂／高融点の熱可塑性樹脂で表すと、直鎖状低密度ポリエチレン／高密度ポリエチレン、低密度ポリエチレン／高密度ポリエチレン、直鎖状低密度ポリエチレン／プロピレン単独重合体、低密度ポリエチレン／プロピレン単独重合体、高密度ポリエチレン／プロピレン単独重合体、直鎖状低密度ポリエチレン／プロピレン単独重合体、低密度ポリエチレン／プロピレン単独重合体、高密度ポリエチレン／プロピレン単独重合体、直鎖状低密度ポリエチレン／プロピレンを主成分とするプロピレンと他のα−オレフィンとの二元または三元共重合体、低密度ポリエチレン／プロピレンを主成分とするプロピレンと他のα−オレフィンとの二元または三元共重合体、高密度ポリエチレン／プロピレンを主成分とするプロピレンと他のα−オレフィンとの二元または三元共重合体、プロピレンを主成分とするプロピレンと他のα−オレフィンとの二元または三元共重合体／プロピレン単独重合体、直鎖状低密度ポリエチレン／ポリエステル、低密度ポリエチレン／ポリエステル、高密度ポリエチレン／ポリエステル、プロピレン単独重合体／ポリエステル、プロピレンを主成分とするプロピレンと他のα−オレフィンとの二元または三元共重合体／ポリエステル等が例示できる。耐候性を考慮すると、ポリエチレン同士の組合せが好ましく、透明性を考慮すると、ポリプロピレン同士の組合せが好ましい。
【００２１】
植物用カバーは、野外で使用されることがほとんどであるため耐候性に優れていることが必要である。そのためには、複合モノフィラメントを構成する熱可塑性樹脂として耐候性に優れる熱可塑性樹脂を使用するか、複合モノフィラメントを構成する熱可塑性樹脂に紫外線吸収剤、中和剤等の安定剤を添加することで、ネットに耐候性を付与することができる。紫外線吸収剤としては、ベンゾフェノン系紫外線吸収剤、ベンゾエート系紫外線吸収剤、ベンゾトリアゾール系紫外線吸収剤、サリシレート系紫外線吸収剤、シアノアクリレート系紫外線吸収剤等が例示できる。これらは、単独使用だけでなく併用してもよい。
さらに複合モノフィラメントには、本発明の効果を著しく低下させない範囲内で、紡糸時にその原料の熱可塑性樹脂に、紫外線吸収剤、中和剤、難燃剤、抗菌剤、着色剤等を添加してもよい。複合モノフィラメントまたはネットの表面には、紫外線吸収剤、難燃剤、抗菌剤等を付着してもよい。
【００２２】
図を用いて本発明の植物用カバーの構造、設置方法について詳細に説明する。
図１は、植物用カバーの本発明における一実施形態を示す概略図である。図１では、ネットからなるカバー部２の裏面に、複数の管状ホルダー３がほぼ等間隔で固着されている。管状ホルダー３は、支持棒４が少なくとも１本挿通可能な空洞を有している。固着方法は溶着または縫着等の方法で行われ、固着によりシート状の布帛を管状に形成してもよいし、当初から管状の布帛を固着してもよい。また、支持棒４に対して、カバー部２の端辺から端辺までにわたって設けてもよいし、端辺から端辺の間の所々に設けて、支持棒４が真っ直ぐに挿通されるようにしてもよい。なお、カバー部２はネットからなるので、支持棒４が伸びた方向に逆らわないように、束ねるように巻き上げていくことでコンパクトに収納することができる。妻部５は、図１に示したように別途設けてもよいし、図２に示したようにカバー部を利用してもよい。
図４は、カバー部２の表面に、管状ホルダー３を固着し、支持棒４を貫通した状態の断面図である。
【００２３】
本発明の植物用カバーでは、防虫効果を高めるために、カバー部と植栽面との隙間をなくすための垂れ部分６を設けることが好ましい。この垂れ部分６は、カバー部２の端辺から適宜の幅にわたって、支持棒４がカバー部２に固着されていない部分である。なお、垂れ部分６を設けた場合は、支持棒４が固着されているカバー部の面を植物側に向け、支持棒４が固着されていないカバー部の面を外側にして設置させるとよい。支持棒４の長さは、カバー部２に固設させた際にカバー部２より長くすることが望ましく、垂れ部分６を設けた場合は、垂れ部分６を含めて同程度の長さにするとよい。
【００２４】
このような構成からなる本発明の植物用カバーは、次のように設置される。支持棒４は、柔軟性があり、曲折してその状態で形状保持可能なので、複数の支持棒４を同じ方向にＵ字型、Ｖ字型等に曲折させ、カバー部２で植物を覆うように植物に被せる。この際、垂れ部分６が支持棒４に掛からずに、Ｕ字の外側に開くように支持棒４を曲折させる。そして支持棒４の先端を植物の植えられている植栽面である地面に挿し込み、地面上に植物用カバーを固定する。弾性のある支持棒４の場合は、湾曲させて地面に先端を挿し込むことで、アーチ状に形状を保つことができる。
【００２５】
支持棒４はカバー部２からはみ出る長さか、垂れ部分６を含めて同程度の長さとすることで、支持棒４だけを地中に挿しこむことができる。垂れ部分６は、植物用カバーの外側の地面に沿わせて垂らすとよい。さらに、この垂れ部分６上に重りや、図３に示すように土砂７を載せたり、杭を打つことによって、地面との隙間を塞ぐことができる。隙間がなくなることで植物用カバー内部に害虫が進入することがなく、植物が守られるうえに、カバー部２が風等によって舞いあがったり、変形することがなく、強固に固定される。
【００２６】
本発明の植物用カバーは、畑等の露地栽培に限らず、植木鉢、プランター等の様々な栽培に使用可能である。植木鉢、プランターでの栽培の場合は、支持棒を地面に挿し込んで植物用カバーを固定してもよいが、プランターまたは植木鉢の側面等に引っ掛けて固定してもよい。この場合、柔軟性のある支持棒を使用すれば、植木鉢、プランター等の側面形状に合わせて、自由に変形させて掛けることができ、簡便に固定することができる。
【００２７】
ネットからなるカバー部２は、四辺形でなくてもよく、例えば植物の植えられている花壇等の形状に合わせて三角形等にしてもよい。また、植物用カバーの形状を、植物用カバーが設置されるときの形状に予め形を固定しておいてもよい。この場合、支持棒４とは別にその形状に保持するための骨組みを設けてもよい。このように形状が固定された植物用カバーは、設置したときに形状が崩れ難く、植物に被せるだけで設置ができるので好ましい。また、カバー部２と支持棒４のサイズを変更することで、背の高い植物から地表を這うような低い植物まで、広い栽培面積範囲から狭い栽培面積範囲までも覆うことができる。
【００２８】
また、本発明の植物用カバーには、図１に示すようにトンネル状に形成されたネットの端面に蓋（妻部５）を設けることで、端面を塞ぐことができる。また、図２に示すようにトンネル状に形成されたネットの端面を折り畳むことで、端面を塞ぐことができる。両端面に蓋を取り付けることや、折り畳むことで、外部と完全に遮断することが可能になるため、防虫に対して有効である。
【００２９】
植物用カバーの収納方法は、Ｕ字型に湾曲して形成された複数の支持棒４を束ねることによって、ネットで形成されているカバー部２が畳み込まれ、コンパクトに収納できる。使用する場合は、再び支持棒４の間隔を開いて、ネットを広げるとよい。
【００３０】
植物用カバーでの栽培は、露地でのトンネル栽培だけでなく、水田での水耕栽培にも用いることができる。特にワサビ栽培に用いると、ワサビの根茎を食べる蟹、カワニナ、ガガンボ、ヨコエビ等の進入を防ぐことができ、根茎が食べられることにより生じる傷や、それによって生じる腐敗等により不良品化することを防止できるために、非常に好ましい。なお、垂れ部分を利用して、植物用カバーの底面を覆うことで、さらに防虫効果が高くできる。
【００３１】
【実施例】
以下、本発明を実施例及び比較例によって具体的に説明するが、本発明はこれらの実施例に限定されるものではない。なお、実施例及び比較例で用いられた原料及び試験方法は下記の通りである。
【００３２】
繊度  ：ＪＩＳ  Ｌ  １０１５に準拠して測定した。
目合い：ネット上の任意の箇所を選び、縦糸と横糸とで囲まれた部分の長さを測定し、これを目合い（ｍｍ）とした。
アブラムシ類の進入阻止効果：植物用カバーの中に、黄色粘着シートを貼った粘着トラップを起き、設置後２日間隔で捕獲虫数を数える。捕獲虫数が、０の場合には、害虫の進入阻止効果に優れると判断した。
【００３３】
ｃｏ−ＰＰ：エチレン−プロピレン−ブテン−１共重合体（エチレン含有量１．５重量％、ブテン−１含有量０．５重量％、融点１３３℃、ＭＦＲ２）
ＰＰ：ポリプロピレン（プロピレン単独重合体、融点１６２℃、ＭＦＲ１）
紫外線吸収剤：２（２’−ヒドロキシ−５−メチルフェニル）ベンゾトリアゾール
【００３４】
実施例１
鞘成分が、９５重量％のｃｏ−ＰＰと５重量％の紫外線吸収剤とからなり、芯成分が、８５重量％のＰＰと１５重量％の紫外線吸収剤とからなり、鞘成分／芯成分の重量比率が５０重量％／５０重量％である、繊度３０００デシテックスの鞘芯型複合モノフィラメントを織機で平織後、熱風型加熱器で熱処理（設定温度は１５０℃、処理時間１分）することで、原料ネットを製造した。このネットは、複合モノフィラメント同士の交点が熱融着されており、その目合いが１．０ｍｍであった。得られた原料ネットから、長さ４ｍ、幅３．５ｍのサイズにネットを切り出した。次に、原料ネットから、１６ｃｍ、３ｍのサイズにネットを切り出し、これを直径５ｃｍ、長さ３ｍの円筒にし、縫合して、管状ホルダーを製造した。
長さ４ｍ、幅３．５ｍのネットの長さ方向に対して、端から１ｍ、１．５ｍ、２ｍ、２．５ｍ、３ｍの位置に、管状ホルダーをその長さ方向がネットの幅方向となるようにネットの中央部に設置し、さらにネットと管状ホルダーとを縫合、固定した。
【００３５】
比較例１
実施例１と同様に、鞘芯型複合モノフィラメントを用いて、これを織機で、平織し、原料ネットを製造した。このネットの平織部分の目合いは、１．０ｍｍであった。得られた原料ネットから、長さ４ｍ、幅３．５ｍのサイズのネットを切り出し、植物用カバーとした。なお、このカバーを構成する複合モノフィラメント同士の交点は熱融着されていない。
【００３６】
実施例１で得られた植物用カバーの管状ホルダーに支持棒を挿通し、管状ホルダーを内側にして、夏秋キャベツ畑に図３に示したようにトンネル状にこれを設置した。このとき、トンネルの長さ２ｍ、幅０．９５ｍ、トンネルの高さ０．５ｍにして、植物用カバーを設置した。なお、長さ方向に１ｍずつ余った部分のネットと、幅方向に約０．２５ｍずつ余った部分のネットには、土を盛り上げた。また、支持棒を弓状に折り曲げて、０．５ｍ間隔で、トンネルの長さ２ｍ、幅０．９５ｍ、トンネルの高さ０．５ｍになるように、夏秋キャベツ畑に設置し、この上から、比較例１で得られた植物用カバーを被覆し、さらに支持棒と植物用カバーとをクリップで固定して設置し、ネットの余った部分には前記と同様に土を盛り上げた。
これらの植物用カバーを用いて、アブラムシの寄生株数を測定したところ、実施例１の植物用カバーでは、０／２０株、比較例１の植物用カバーでは、１６／２０株であった。
【００３７】
これらの結果から、比較例１で得られた植物用カバーは、支持棒上に被覆し、クリップで固定することで、アブラムシが進入できる程度の目ズレがネットに生じ、本発明の植物用カバーは、クリップ等で支持棒と固定する必要がないことから、簡便に張ることができ、さらに熱融着されていることから目ズレが生じていなかった。
【００３８】
【発明の効果】
本発明の植物用カバーは、過激な温度変化から植物を防御するだけでなく、熱接着により複合モノフィラメント同士が強固に固着されているので、強風や風雨に耐える強度を有し、目ズレが生じないため、安定した形状を保つだけでなく、害虫の進入を防ぎ、植物を害虫から守ることができる。
さらに管状ホルダーに支持棒を挿通することで、煩わしい手間もかけず簡便にカバーを設置できる。
【図面の簡単な説明】
【図１】本発明による植物用カバーの一実施形態を示す概略図である。
【図２】本発明による植物用カバーの一実施形態を示す概略図である。
【図３】図２の植物用カバーの設置方法を示す概略図である。
【図４】支持棒と管状ホルダーとを固着した状態を示す断面図である。
【符号の説明】
１    植物用カバー
２    カバー部
３    管状ホルダー
４    支持棒
５    妻部
６    垂れ部分
７    土砂
【図１】
2004298099.tif 000003
【図２】
2004298099.tif 000004
【図３】
2004298099.tif 000005
【図４】
2004298099.tif 000006